(57)【要約】      （修正有）【課題】ベッド以外の箇所に寝ていても用いることができ、しかも要介助者の顔面に向かって倒れるおそれがないようにしたコンパクトな飲食補助具を提供する。【解決手段】補助具本体11 の上面を、飲食用容器20 を受ける受け面とし、補助具本体の受け面に載せられた飲食用容器を受け面によって粘着し又は滑り止めし、あるいは受け面を飲食用容器に抱きつかせることによって飲食用容器を所望の姿勢に保持する。補助具本体はその少なくとも上側部分を例えば流動部材や粘土質部材を用いることにより押圧によって変形し得るように構成してもよい。１０は飲食補助具、１１は、補助具本体、１２は、表皮、１３は、突起、２０は、哺乳瓶（飲食用容器）、２０Ａは、飲み口。【選択図】図１
2006247001.tif 000002
【特許請求の範囲】
【請求項１】
飲食を行う際に用いる飲食補助具であって、
補助具本体の上面は飲食用容器を受ける受け面となっており、上記補助具本体の受け面が受け面に載せられた上記飲食用容器を粘着し又は滑り止めしあるいは上記飲食用容器に抱きつくことによって上記飲食用容器を所望の姿勢に保持し得るようになっていることを特徴とする飲食補助具。
【請求項２】
上記飲食用容器が哺乳瓶等の飲料容器であり、該飲料容器がその飲み口を斜め下方に向けて傾斜された状態又は飲み口を上方に向けて縦にした状態で上記受け面上に保持されるようになっている請求項１記載の飲食補助具。
【請求項３】
上記補助具本体の少なくとも上側部分は押圧によって変形し得るように構成されており、上記飲食用容器が上記補助具本体の受け面に載せられ、上記補助具本体の少なくとも上側部分が変形されることにより上記飲食用容器が上記補助具本体の受け面に広い面積でもって接触されて上記受け面上で所望の姿勢に保持され得るようになっている請求項１記載の飲食補助具。
【請求項４】
上記補助具本体の少なくとも上側部分は表皮内に流動部材を流動し得るように入れることによって構成されている請求項３記載の飲食補助具。
【請求項５】
上記流動部材が多数の微小球又はゲルである請求項４記載の飲食補助具。
【請求項６】
上記補助具本体の少なくとも上側部分は押圧によって変形し得る粘土質部材を含んで構成されている請求項３記載の飲食補助具。
【請求項７】
上記粘土質部材が低反発性の合成樹脂又はエラストマー樹脂である請求項６記載の飲食補助具。
【請求項８】
上記補助具本体の少なくとも上側部分はばね部材を含んで構成されており、上記飲食用容器が上記補助具本体の受け面に載せられた時に上記ばね部材が弾性変形して上記補助具本体の受け面が所望の角度に傾斜され、上記飲食用容器が上記傾斜した受け面上に保持されるようになっている請求項１記載の飲食補助具。
【請求項９】
上記補助具本体が係止部材によって任意の場所に係止されるようになっている請求項１、３又は８記載の飲食補助具。
【発明の詳細な説明】
【技術分野】
【０００１】
この発明は例えば病人や老人、あるいは幼児等の要介助者が飲食をするのに適した飲食補助具に関し、特にベッド以外の箇所に寝ていても用いることができ、しかも要介助者の顔面に向かって倒れるおそれがないようにしたコンパクトな飲食補助具に関する。
【背景技術】
【０００２】
例えば、長期にわたって寝たままの病人や老人等、筋力の弱った人に飲食水等を飲ませる場合、介助者による介助を必要とすることが多い。また、乳児に哺乳瓶を用いて授乳させる場合、一般的に母親等の介助が必要である。従って、介助者や母親等（以下、単に「介助者」ともいう）が不在の場合に筋力の弱った者や乳児等、介助を受ける者（以下、単に「要介助者」ともいう」にとっては非常に不便である。
【０００３】
これに対し、ベースに支柱を立設し、高さや角度を調整可能とした支柱の先端にクリップや受け部を設け、哺乳瓶等の飲料容器を保持しあるいは載せ、要介助者の口元に飲料容器の飲み口を位置させるようにした飲料補助具（特許文献１、特許文献２、特許文献３）、あるいはベッドのフレームに取付け座を取付け、取付け座から一対のリボンを垂下させ、リボンの先端にリングを設けて飲料容器の首部と下部を通して保持し、要介助者の口元に飲料容器の飲み口を位置させるようにした飲料補助具（特許文献４）、が提案されている。
【０００４】
【特許文献１】実用新案登録第３０２７４３８号公報
【特許文献２】実開平０５−３７２４４号公報
【特許文献３】実開昭６３−１８２７５０号公報
【特許文献４】実用新案登録第３０８６１９０号公報
【発明の開示】
【発明が解決しようとする課題】
【０００５】
しかし、特許文献１〜３記載の飲料補助具では支柱の先端に飲料容器を保持し、飲料容器の飲み口を上方から要介助者の顔面に向かわせるようにしているので、補助具が嵩高になりやすく、ベッドや布団等、ベースを載置する箇所が不安定な場合には補助具が顔面に向かって倒れるおそれがあり、安全性の点で好ましくない。
【０００６】
他方、特許文献４記載の飲料補助具ではベッドのフレームを利用して取付けるようにしているので、補助具が乳児や病人の顔面に向かって倒れるおそれはないものの、要介助者がベッド以外の箇所に寝ている場合には用いることができない。
【０００７】
本発明はかかる問題点に鑑み、ベッド以外の箇所に寝ていても用いることができ、しかも要介助者の顔面に向かって倒れるおそれがないようにしたコンパクトな飲料補助具を提供することを課題とする。
【課題を解決するための手段】
【０００８】
本件発明者は上述の課題を解決すべく鋭意研究し試作を重ねた結果、補助具の上面を飲料容器を受ける受け面とし、受け面によって飲料容器を粘着し、滑り止めしあるいは抱きつかせることによって飲料容器を補助具の受け面上で所望の姿勢に保持するようにすればよいこと、及びかかる補助具が飲料容器だけでなく、椀や皿等を含む飲食用容器の全般に適用できることに着目し、本発明を完成するに至った。
【０００９】
そこで、本発明に係る飲食補助具は、飲食を行う際に用いる飲食補助具であって、補助具本体の上面は飲食用容器を受ける受け面となっており、上記補助具本体の受け面が受け面に載せられた上記飲食用容器を粘着し又は滑り止めしあるいは上記飲食用容器に抱きつくことによって上記飲食用容器を所望の姿勢に保持し得るようになっていることを特徴とする。
【００１０】
本発明の特徴の１つは補助具本体の受け面に飲食用容器を載せ、補助具本体の受け面によって飲食用容器を粘着し滑り止めしあるいは抱きつかせることにより所望の姿勢に保持するようにした点にある。
【００１１】
これにより、補助具本体を飲食をする者の顔面近く、例えば顔面近くのベッドや布団の上、あるいは胸元の上に載せればよいので、飲食をする者がベッド以外の箇所に寝ている場合にも用いることができ、しかも補助具本体が嵩高になることがないので、顔面に向かって倒れるおそれがなく、安全である。
【００１２】
例えば、哺乳瓶等の飲料容器を保持する場合、飲料容器がその飲み口を斜め下方に向けて傾斜された状態又は飲み口を上方に向けて縦にした状態で受け面上に保持されるようにするのがよい。
【００１３】
補助具本体は変形しないような材料、例えば硬質プラスチック材料や金属材料を用いて製作し、受け面の物性によって飲食用容器を保持してもよく、又補助具本体を変形させ、これによって飲食用容器に抱きつかせ、必要に応じて粘着しあるいは滑り止めして保持するようにしてもよい。
【００１４】
即ち、補助具本体の少なくとも上側部分は押圧によって変形し得るように構成されており、飲食用容器が補助具本体の受け面に載せられ、補助具本体の少なくとも上側部分が変形されることにより飲食用容器が補助具本体の受け面に広い面積でもって接触されて補助具本体の受け面上で所望の姿勢に保持され得るように構成することもできる。
【００１５】
このように補助具本体の少なくとも上側部分を押圧によって変形し得るように構成すると、飲食用容器を受け面上に載置し、必要に応じて飲食用容器を押し付けた時に、補助具本体の少なくとも上側部分が変形し、飲食用容器を所望の姿勢に保持することができるので、飲食を円滑に行うことができる。
【００１６】
例えば、病人や老人等が顔を横に向けあるいは胸元に向かせることによって適切な飲料容器、例えばストロー付きの飲料容器から飲食水や果汁等を円滑に飲むことができ、又乳児が顔を横に向けることによって哺乳瓶からミルクを円滑に飲むことができ、介助者がいなくとも安全に飲食をすることができる。
【００１７】
また、椀や皿等の容器も補助具本体の受け面上に安定に載せて保持することができるので、例えば病人や老人等は自分でスプーン等を用いて食べ物をすくってスムーズに食することができ、又介助者は片手で老人や病人等を支えながら、他方の手でスプーン等を扱い、飲食用容器から食べ物をすくってスムーズに食べさせることができる。
【００１８】
補助具本体は少なくとも上側部分が押圧によって変形し得るように構成されていればよい。例えば、補助具本体の少なくとも上側部分、例えば上半部あるいは全体を、表皮内に流動部材を流動し得るように入れることによって構成することができる。
【００１９】
表皮は流動部材の流動性を阻害しないものであればよく、例えば薄い織布や不織布、あるいは塩化ビニル製シートやシリコン樹脂製シート等の軟質樹脂製シートを用いることができる。また、流動部材は流動し得るものであればよく、例えば多数の微小球やゲルを用いることができる。
【００２０】
また、補助具本体の少なくとも上側部分、例えば上半部あるいは全体を、押圧によって変形し得る粘土質部材を含んで構成することができる。例えば、粘土質部材を直接露出させて構成してもよく、又前述の表皮と同様の表皮内に粘土質部材を入れて構成することができる。
【００２１】
粘土質部材は押圧によって変形し得るものであればよく、例えば低反発性の合成樹脂又はエラストマー樹脂を用いることができる。
【００２２】
また、補助具本体の受け面の傾斜角度をばね部材の弾性によって調整できるようにすることもできる。即ち、補助具本体の少なくとも上側部分はばね部材を含んで構成し、飲食用容器を補助具本体の受け面に載せた時にばね部材が弾性変形して補助具本体の受け面が所望の角度に傾斜し、飲食用容器が傾斜した受け面上に保持されるように構成することもできる。
【００２３】
この場合、補助具本体の全体を線ばねで構成してもよい。即ち、補助具本体は側面く字状、平面Ｕ字状の線ばね製フレームに、受け面となる表皮を掛け渡して構成されることができる。この場合、表皮はピーンと張ってもよく、飲食用容器と大きな面積で密着するように弛ませてもよい。
【００２４】
また、板材をコイルばねで回動付勢して構成してもよい。即ち、補助具本体の少なくとも上側部分を受け面となる板体で構成し、板体の先端縁を受け台の下側部分に枢支するとともに、コイルばねによって回動付勢して構成されることができる。この場合、板体は平坦な板材としてもよく、又飲食用容器の形状に応じて湾曲しあるいは窪んだ形状とすることもできる。
【００２５】
補助具本体の受け面は飲食用容器を保持できることが重要である。例えば、高い粘性や高い摩擦係数の表皮、例えばシリコン樹脂製表皮や塩化ビニル製表皮を用いて飲食用容器を保持するようにしてもよく、又表皮の少なくとも受け面には滑り止め用の多数の突起を形成し、飲食用容器を保持するようにしてもよい。
【００２６】
飲食用容器は寝た姿勢で飲食することができる飲食容器、例えば哺乳瓶、飲み口を押すことによって飲食が流出し得る構造の飲み口を取付けたペットボトル等であってもよく、又椀やコップ、皿等の容器を用いることもできる。飲み口を押すことによって飲食が流出し得る構造の飲み口としては例えば特開２０００−６２８１５号公報記載の飲み口を採用することができる。
【００２７】
また、補助具本体は係止部材、例えば粘着テープ、締着ファスナー（商品名：マジック締着テープ）、磁石あるいは両端にフックを設けた長さ調節可能なベルトによって顔面近くの傾斜部分や椅子（乳母車や車椅子を含む）の背もたれ、あるいは椅子（乳母車や車椅子を含む）のフレーム等に係止して使用することもでき、この場合には補助具本体を配置できる範囲を拡大することができる。
【発明を実施するための最良の形態】
【００２８】
以下、本発明を図面に示す具体例に基づいて詳細に説明する。図１ないし図３は本発明に係る飲食補助具の好ましい実施形態を示す。図において、飲食補助具１０の本体１１は平面四角形で、側面台形の六面体形状の受け台の形態に構成されている。
【００２９】
この補助具本体１１は軟質の表皮１２内にプラスチック材料の多数の微小球（流動部材）を入れて製作され、又表皮１２の表面には滑り止め用の突起１３が固着され、突起１３は例えばゴム材料やシリコン樹脂材料等を用いて製作されている。なお、表皮１２に滑り止め性や粘着性がある場合には突起１３は必ずしも設ける必要はない。また、流動部材にはプラスチック製の微小球に代え、蕎麦殼やストローの小片を用いることもできる。
【００３０】
乳児を布団の上に寝かせたままで授乳する場合、図１に示されるように、乳児の顔面近くの布団上に補助具本体１１を載せ、ミルクを入れた哺乳瓶（飲食用容器）２０を補助具本体１１の受け面１１Ａ上に載せて押しつけると、補助具本体１１内の微小球が流動して受け面１１Ａが凹状となって広い接触面積でもって哺乳瓶２０を受け、哺乳瓶２０はその飲み口２０Ａを下方に向けて傾斜した姿勢で滑り止めされ、その姿勢に保持される。
【００３１】
乳児が顔を横に向けると、口元に哺乳瓶２０の飲み口２０Ａがくるので、飲み口２０Ａをくわえて吸うと、ミルクを飲むことができる。
【００３２】
また、布団の上面が斜めになっている場合には補助具本体１１の傾斜した面を下にして補助具本体１１を載せると、図３の(b)に示されるように補助具本体１１が安定し、哺乳瓶２０を確実に保持することができる。
【００３３】
なお、上述のように斜めの場所に補助具本体１１を載せる場合、粘着テープや締着ファスナー（商品名：マジック締着テープ）を用いて位置ずれを防止するようにしてもよい。
【００３４】
図４は第１の実施形態の変形例を示す。補助具本体１１は六面体形状ではなく、図４の(a)に示されるような円柱状、図４の(b)(c)に示されるような任意の形状に製作することもできる。
【００３５】
なお、上記の実施形態及び変形例ではプラスチック材料の微小球を用いるようにしたが、微小球に代えてゲルを用いることもでき、又低反発性の合成樹脂、例えば発泡ウレタン樹脂、あるいはエラストマー樹脂等の粘土質部材を用いて補助具本体１１を製作することもできる。
【００３６】
図５は第２の実施形態を示す。本例では補助具本体３０は側面く字状、平面Ｕ字状の線ばね製フレーム３１の上側部分に、受け面となる表皮３２を掛け渡して構成され、又補助具本体３０の表皮３２の一側方には２本のベルト３３が設けられ、ベルト３３の先端及び表皮３２の他側方には雌雄の締着ファスナが縫合され、ベルト３３を抱きつかせて飲食容器を表皮３２に固定できる一方、飲食容器の重さで補助具本体３０の受け面３２が適切な角度に傾斜するようになっている。
【００３７】
なお、本例ではベルト３３で飲食容器を固定するようにしているが、このベルトは必ずしも設ける必要はない。
【００３８】
図６は第３の実施形態を示す。本例では補助具本体４０は２枚の板体４１、４２の先端縁を枢支して構成され、枢支軸にはコイルばね（図示せず）が外装されて２枚の板体４１、４２は相互に回動付勢されており、飲食容器の重さで補助具本体４０の受け面４１が適切な角度に傾斜するようになっている。本例の飲食補助具においても第２の実施形態と同様の作用効果を奏する。
【００３９】
図７は第４ないし第７の実施形態を示す。図７の(a)に示される第４の実施形態ではコップ、例えば介護用コップ５０を立てた姿勢とし、これに補助具本体１１の受け面を抱きつかせて保持するようになっている。
【００４０】
図７の(b)(c)に示される第５、第６の実施形態ではＰＥＴボトル（飲食用容器）５２に飲み口を取付け、これを斜めにしてあるいは立てて補助具本体１１によって保持するようになっている。
【００４１】
図７の(d)に示される第７の実施形態では椀（飲食用容器）５２を補助具本体１１の受け面上に載せ、これを押し付けることによって椀５２がその姿勢に保持されるようになっている。
【００４２】
図８は第８の実施形態を示す。本例では係止バンド（係止部材）６０を椅子６１の背もたれの上端縁に引っ掛け、係止バンド６０に補助具本体１１を引っ掛けることにより、補助具本体１１を椅子６１の背もたれに取付けるようになっている。
【００４３】
図９は第９ないし第１１の実施形態を示す。図９の(a)に示される第９の実施形態では補助具本体１１を平板状に製作し、コップ５３、皿５４、碗５５、５７、小鉢５６等の各種の飲食用容器を所望の姿勢で保持できるようになっている。
【００４４】
図９の(b)(c)に示される第１０、第１１の実施形態では乳母車６２及び車椅子６３の任意の箇所に補助具本体１１を例えば図９の(c)に示されるようなバンド６４を用いて固定できるようになっている。
【図面の簡単な説明】
【００４５】
【図１】本発明に係る飲食補助具の好ましい実施形態の使用例を示す図である。
【図２】上記実施形態を示す概略斜視図である。
【図３】上記実施形態の使用状態の例を示す図である。
【図４】変形例を示す図である。
【図５】第２の実施形態を示す図である。
【図６】第３の実施形態を示す図である。
【図７】第４ないし図７の実施形態を示す図である。
【図８】第８の実施形態を示す図である。
【図９】第９、第１０、第１１の実施形態を示す図である。
【符号の説明】
【００４６】
１０    飲食補助具                      １１    補助具本体
１１Ａ      受け面                      １２    表皮
１３    突起                            ２０    哺乳瓶（飲食用容器）
２０Ａ    飲み口                        ３０    補助具本体
３１    フレーム                        ３２    表皮
４０    補助具本体                      ４１、４２      板体
５０    コップ（飲食用容器）            ５１    ＰＥＴボトル（飲食用容器）
５２    椀（飲食用容器）                ５３    コップ（飲食用容器）
５４    皿（飲食用容器）                ５５、５７      碗（飲食用容器）
５６    小鉢（飲食用容器）              ６０    係止バンド（係止部材）
６１    椅子                            ６２    乳母車
６３    車椅子                          ６４    バンド（係止部材）
【図１】
2006247001.tif 000003
【図２】
2006247001.tif 000004
【図３】
2006247001.tif 000005
【図４】
2006247001.tif 000006
【図５】
2006247001.tif 000007
【図６】
2006247001.tif 000008
【図７】
2006247001.tif 000009
【図８】
2006247001.tif 000010
【図９】
2006247001.tif 000011